(57)【特許請求の範囲】
【請求項１】
タネ入れ用の袋を取付けた長尺の海苔網をロール状に巻回した巻回体を回転自在に配置する配置部と、この配置部に配置された前記巻回体から繰り出された、前記海苔網を巻取る巻取り手段とを備え、該巻取り手段が、前記海苔網の両側部を着脱自在に保持する保持部と、この保持部を回転させる動力部とを備えたことを特徴とする海苔網のタネ入れ巻取り装置。
【請求項２】
配置部は、海苔網を繰り出す際の反力により、巻回体が側方へ転がるのを防止するための転がり防止手段を備えたことを特徴とする請求項１記載の海苔網のタネ入れ巻取り装置。
【請求項３】
巻取り手段には、巻取られる海苔網の長手方向に沿うように供給されて、海苔網と一緒に巻取られるひも状体の供給手段を備えたことを特徴とする請求項１または２記載の海苔網のタネ入れ巻取り装置。
【請求項４】
保持部は、海苔網に装着された棒体を巻取り軸として海苔網を巻取るようにしたことを特徴とする請求項１に記載の海苔網のタネ入れ巻取り装置。
【請求項５】
保持部に装着される装着部と、海苔網の巻取り手段に巻取られた海苔網の外周面に当接される当接部とを有する当接部材とを備えたことを特徴とする請求項１又は４に記載の海苔網のタネ入れ巻取り装置。
【請求項６】
当接部は、巻取り中心からの前記当接部の突出長を調整自在にしたことを特徴とする請求項５記載の海苔網のタネ入れ巻取り装置。
【請求項７】
ロール状に巻回した海苔網の巻回体から繰り出された海苔網の両側部を、動力部を備えた巻取り手段の保持部に保持し、この保持部を前記動力部により回転させて海苔網を巻取りながら、海苔網に取り付けられた袋に海苔タネを入れるようにしたことを特徴とする海苔網のタネ入れ巻取り方法。
【請求項８】
海苔網を繰り出す際の反力により、前記巻回体が側方へ転がるのを転がり防止手段により防止することを特徴とした請求項７記載の海苔網のタネ入れ巻取り方法。
【請求項９】
保持部は、海苔網に装着された棒体を巻取り軸として海苔網を巻取ることを特徴とした請求項７記載の海苔網のタネ入れ巻取り方法。
【請求項１０】
海苔網の長手方向にひも状体を沿わせてこのひも状体を海苔網と一緒に巻取ることを特徴とする請求項７〜９のいずれかに記載の海苔網のタネ入れ巻取り方法。
【請求項１１】
前記巻取り手段で海苔網を巻取る途中において、前記保持部の回転により巻取られた海苔網の外周面に当接される当接部材を装着し、この当接部材上に更に海苔網を巻取るようにしたことを特徴とする請求項７〜１０のいずれかに記載の海苔網のタネ入れ巻取り方法。
【発明の詳細な説明】
【０００１】
【発明の属する技術分野】
本発明は、長尺の海苔網を巻取るための海苔網のタネ入れ巻取り装置および巻取り方法に関するものである。
【０００２】
【従来の技術】
海苔の養殖は、海洋に海苔網を張設して行われる。したがって海苔網を海洋に張設するのに先立って、海苔網にタネ付けすることが行われる。タネ付け方法としては幾つかの方法があるが、代表的な方法として、海苔網にビニール袋などの袋を多数取り付け、この袋に予めタネ付けされたタネ付け片であるカキ殻を投入する方法が知られている。このようにしてタネ入れされた海苔網を海洋に張設すると、カキ殻に付着した海苔タネは袋から飛び出し、海苔網に付着する。そしてこの海苔タネが生長することにより、シート状の乾海苔などの原料となる海苔葉が育成される。
【０００３】
従来、袋へのタネ付け片であるカキ殻の投入は、陸地において長尺のベルト状の海苔網を広げ、多人数（一般には２０〜３０人程度）の作業者がこの海苔網の周囲に立って行っていた。そして袋へのカキ殻の投入が終了したならば、海苔網をロール状に丸め、丸められた海苔網の巻回体を海苔船に積み込んで、海洋の養殖現場へ運搬していた。
【０００４】
【発明が解決しようとする課題】
袋へのカキ殻の投入は短時間（望ましくは５分以内）に完了しなければならない。何故ならば、これに長時間を要すると、海苔タネの品質が悪化してしまうからである。このため、従来は、上述のように２０〜３０人程度の多人数を動員してタネ入れ作業を短時間で行っていたものである。
【０００５】
このように従来方法は、多人数の作業者を動員せねばならないので、多大な労働コストと手間を要するものであった。また上述のように、タネ入れが終了したならば、広げていた海苔網をロール状に巻取って丸めねばならないが、海苔網をロール状にコンパクトに丸めるのは困難であり、海苔網が緩く巻き取られるのは避けられなかった。したがって巻取られた海苔網のロール径は大きくなり、海苔船に積載しづらいものであった。更には、ロール状に巻取るための時間も要するものであった。
【０００６】
したがって本発明は、少人数で迅速に短時間でタネ入れ作業などの海苔網の巻取り作業を行うことができる海苔網の巻取り装置および巻取り方法を提供することを目的とする。
【０００７】
【課題を解決するための手段】
本発明は、タネ入れ用の袋を取付けた長尺の海苔網をロール状に巻回した巻回体を回転自在に配置する配置部と、この配置部に配置された前記巻回体から繰り出された、前記海苔網を巻取る巻取り手段とを備え、該巻取り手段が、前記海苔網の両側部を着脱自在に保持する保持部と、この保持部を回転させる動力部とを備えたことを特徴とする海苔網のタネ入れ巻取り装置である。
【０００８】
また本発明は、ロール状に巻回した海苔網の巻回体から繰り出された海苔網の両側部を、動力部を備えた巻取り手段の保持部に保持し、この保持部を前記動力部により回転させて海苔網を巻取りながら、海苔網に取り付けられた袋に海苔タネを入れるようにしたことを特徴とする海苔網のタネ入れ巻取り方法である。
【０００９】
【発明の実施の形態】
以下、本発明の実施の形態を図面を参照して説明する。図１は海苔網の巻取り装置の側面図、図２は海苔網の巻取り装置の要部斜視図、図３は海苔網の巻取り手段の正面図、図４は保持部と当接部材の斜視図、図５は巻取り部の側面図である。
【００１０】
図１および図２において、長尺のベルト状の海苔網１にはピッチをおいて棒体２が取り付けられており、またビニール袋などのタネ入れ用の袋３が多数取り付けられている。図１において、５は、海苔網１をロール状に巻回した巻回体である。６は、巻回体５から繰り出された海苔網１を、後述する巻取り手段２０によりロール状に巻取った巻回体である。なお、海苔網１には必ずしも棒体２や袋３は取り付けられていない。
【００１１】
図１において、巻回体５は配置部７に配置されている。本実施の形態の配置部７は、左右２個のプーリ８に無端帯９を調帯して成っており、巻回体５は無端帯９の谷部に配置される。また巻回体５と巻回体６の間には、海苔網１の送行の案内部となるシャフト１０が水平に配設されている。配置部７、シャフト１０、巻取り手段２０などは、フレーム（図示せず）に取り付けられている。
【００１２】
次に、図２および図３を参照して、海苔網１の巻取り手段２０について説明する。巻取り手段２０は、海苔網１の両側部を保持できるように、左右に２個設けられている。巻取り手段２０は、動力部としてのモータ２１と、モータ２１に駆動されて回転するスプラインシャフト２２と、スプラインシャフト２２に装着された回転体２３と、保持部２４などから成っている。回転体２３はスプラインシャフト２２に沿って、海苔網１の幅方向にスライド自在である（図３の矢印Ａ参照）。
【００１３】
回転体２３の前面には複数本（本形態では２本）のピン２５が突出しており、ピン２５が保持部２４の背面に開孔された孔部２６に挿脱自在に挿入されることにより、回転体２３と保持部２４は着脱自在に連結される。また保持部２４の前面から、ピン状の保持子２７が複数本（本形態では２本）突出している。本実施の形態では、回転体２３や保持部２４などからモータ２１の駆動により回転する回転部が構成されている。
【００１４】
図３に示すように、棒体２の両端部は保持子２７の間に挿入されて保持部２４に保持される。また回転体２３はスプラインシャフト２２に沿って前進後退自在であるが、回転体２３をモータ２１側へ後退させることにより、回転体２３を保持部２４から分離すれば、保持子２７を棒体２の端部から引き抜いて、保持部２４を棒体２から取り外すことができる。後述するように、望ましくは、棒体２は海苔網１を保持部２４で巻取る際の巻取り軸となる。
【００１５】
なお、棒体２を巻取り軸として利用せずに、モータ２１に駆動される巻取り軸を別途設け、この巻取り軸に海苔網を巻取るようにすることが考えられるが、このようにした場合、巻取り（タネ入れ）が終了すれば、巻取り軸をこれに巻付いたロール状の海苔網の中心部から引き抜かねばならず、この引き抜きは面倒かつ困難である。これに対し、棒体２を海苔網１の巻取り軸として利用すれば、このような引き抜き作業は不要であり、保持部２４を棒体２から取りはずすだけでよく、作業上きわめて有利である。
【００１６】
なお、本実施の形態では、モータ２１は左右２個配設されているが、モータは１個とし、このモータの回転を伝動ベルトなどにより左右２個の保持部２４を回転させるようにしてもよく、モータの伝動系は自由に設計できる。また保持部の具体的構造も本実施の形態に限定されるものではないが、本実施の形態のように、複数本のピンから成る保持子２７の間に棒体２の端部を挿脱する構造にすれば、保持部２４を棒体２に簡単に着脱できる。
【００１７】
また図２に示すように、海苔網１の両側部などにひも１５やフックなどの結合手段を設け、この結合手段により海苔網１の両側を保持部に保持させるようにしてもよい。このような結合手段は保持部側に設け、これにより海苔網を結合して保持するようにしてもよい。また保持部により海苔網１の両側部を直接保持してもよい。このように保持部は、棒体２を介して海苔網１の両側部を間接的に保持してもよく、あるいは棒体２を介さずに海苔網１の両側部を直接的に保持してもよく、保持部による海苔網１の両側部の保持態様は自由に決定してよい。但し、何れの場合も、上述したように、棒体２を海苔網１の巻取り軸として利用することが望ましい。
【００１８】
図１において、４０はひも状体としてのロープ４１の巻回体である。ロープ４１は巻回体４０から繰り出され、ガイド部であるロール４２，４３，４４を周回して海苔網１上へ供給される。ロール４３はロープ４１にテンションを付与するテンション付与手段となっている。ロール４３は、その自重やスプリング（図示せず）のバネ力などによりロープ４１にテンションを付与する。このようにロープ４１にテンションを付与すれば、ロープ４１を海苔網１と一緒に巻取りやすい。巻回体４０やロール４２〜４４などにより、ひも状体であるロープ４１の供給手段を構成している。勿論、ひも状体の供給手段は本実施の形態のものに限定されない。
【００１９】
図２において、ロープ４１の先端は海苔網１の先端などに結着するなどして取付けられている。４５は取り付け部である。ロープ４１の先端は棒体２などに取付けてもよい。ロープ４１は、望ましくは海苔網１の長手方向における中心線上にあって、海苔網１の長手方向に沿うように供給され、海苔網１と一緒に巻取り手段２０に巻取られる。巻取りが終了した状態で、図１に示すようにロープ４１の後端部４１’は巻取られた海苔網１の巻回体６から外方へ延出している。海苔網１をロール状に巻取った巻回体６は、船で海洋へ搬送されて海洋に張設されるが、この場合、作業者はこの後端部４１’を手に保持して、ロール状の巻回体６を巻戻すようにすれば、作業者は海洋上において海苔網１をシート状に難なく展開することができる。
【００２０】
図４および図５において、保持部２４の前面には保持子２７をはさむように、被装着部としての短管２８が２個装着されている。５０は当接部材であって、その一端部は短管２８に着脱自在に挿入して装着される２本の脚状の装着部５１となっており、また他端部はカギ形に屈曲して当接部５２になっている。海苔網１の巻径に対応できるように、当接部材５０の巻取り中心ＮＡからの突出長Ｌは、装着部５１の短管２８への挿入深さを変えることにより、自由に調整できるようになっている。すなわち当接部材５０は、保持部２４を含む回転部に、突出長Ｌを調整自在に装着される。
【００２１】
図５に示すように、巻取り手段２０により海苔網１を巻取る途中において、海苔網１の巻径Ｄが大きくなったならば、海苔網１の巻取り作業は中断し、短管２８に装着部５１を挿入し、当接部５２を巻取り途中の海苔網１の外周面に当接させる。そして、巻取り作業を再開して、当接部５２上に海苔網１を更に巻取っていく。また海苔網１の巻取りが終了したならば、装着部５１を短管２８から取りはずし、また当接部５２をロール状に巻回された海苔網１から簡単に引抜くことができる。
【００２２】
当接部材５０の装着理由は次のとおりである。すなわち図５において、海苔網１の全長が長く、巻取り手段２０に巻取られた巻回体６の巻径が大きくなると、巻回体６の中心軸部に保持部２４による巻取り力が集中し、中心軸部が強く絞られるようになって、海苔網１を更に巻取っていくことが困難となる。そこで巻取り作業の途中において、当接部材５０を上記のように装着することにより、それ以後は当接部５２上に巻取るようにすれば、巻径が大きくなっても、海苔網１をスムーズに巻取ることができる。勿論、当接部材や被装着部の具体例は本実施の形態に限定されないのであって、要は、海苔網の巻径が大きくなった場合に、その上に更に巻回していけるものであればよい。
【００２３】
この海苔網の巻取り装置は上記のような構成より成り、次にタネ入れ方法を説明する。まず図１において、作業者Ｈは巻回体５から海苔網１の先端部を繰り出し、シャフト１０を周回させて、先頭の棒体２の両端部を保持部２４の保持子２７で保持する（図３も参照）。この先頭の棒体２が、海苔網１を巻取るための巻取り軸となる。勿論、上述したように、棒体２を介さずに、保持部で海苔網１の両側部を直接保持するなどしてもよく、この場合も、棒体２は、海苔網１を巻取るための巻取り軸となる。
【００２４】
次に、作業者Ｈは、海苔網１の両側部などの近傍に位置する。作業者Ｈの人数は例えば２〜４人程度である。そこでモータ２１を駆動して保持部２４を回転させながら、海苔網１をゆっくり巻取っていく。この場合、ロープ４１も海苔網１と一緒に巻取っていく。
【００２５】
このようにして海苔網１をゆっくり巻取りながら、作業者Ｈは海苔タネが付着したカキ殻Ｋを袋３に投入していく。なお、海苔網１の巻取り径が大きくなるにしたがい、巻取り手段の回転速度が次第に遅くなるようにモータ２１の回転速度を制御することが望ましく、このようにすれば海苔網１を一定速度あるいは略一定速度で巻取りながら、タネ入れ作業を行うことができる。また海苔網１の巻径が大きくなる場合は、巻取り作業の途中において、上述のように当接部材５０を装着し、当接部５２上に海苔網１を巻取っていく。
【００２６】
図１において、巻回体６を矢印Ｂ方向に回転させながら海苔網１を巻取ると、巻回体５は矢印Ｃ方向へ回転する。ここで、仮に、配置部７が無いとすると、この矢印Ｃ方向への海苔網１の繰り出しの反力のために、巻回体５は側方（矢印Ｄ方向）へ転がってしまう。そこで本実施の形態では、配置部７の無端帯９の谷部に巻回体５を配置することにより、巻回体５が矢印Ｄ方向へ転がるのを防止し、安定した作業が行えるようにしている。すなわち、配置部７の無端帯９は、巻回体５が側方へ転がるのを防止する転がり防止手段を兼務している。
【００２７】
海苔網１を巻取ってタネ入れが終了したならば、保持部２４を棒体２の両端部若しくは海苔網１の両側部から取りはずす。また当接部材５０もロール状の海苔網１から抜き取る。そしてロール状に巻取られた海苔網１の巻回体６を海苔船に積載し、海洋へ運搬して着殖場に張設する。この場合、上述したように、作業者は海苔網１の巻回体６から延出するロープ４１の後端部４１’を手に保持し、巻回体６を逆回転させて巻き戻しながら、海苔網１を海洋にシート状に展開する。
【００２８】
なお各図において、海苔網１は、その一枚を巻取り手段２０で巻取るようにしているが、海苔網１は複数枚を重ねてロール状の巻回体５とし、重ねられた複数枚の海苔網１を巻取り手段２０で巻取りながらタネ入れを行うようにしてもよく、このようにすればタネ入れ作業の能率は大巾にアップする。
【００２９】
図６は、本発明の他の実施の形態の巻回体の配置部の側面図であって、転がり防止手段の他の形態を示すものである。配置部３０は、これを載せる台板３１上に断面３角形のストッパ３２を突設して成っている。したがってこのストッパ３２により、上述したタネ入れ作業中に巻回体５が側方（矢印Ｄ方向）へ転がるのを防止する。このように本発明は様々な設計変更が可能である。
【００３０】
また本発明の海苔網の巻取り装置の使用方法は上記実施の形態に限定されないのであって、上記タネ入れ以外にも、例えば海苔網の補修などのメンテナンス等にも使用できる。この場合、図１において、作業者は巻取り手段で巻取られる海苔網の側部などに位置し、破損した海苔網の補修を行う。勿論この場合、棒体や袋は海苔網に取り付けられている必要はない。
【００３１】
【発明の効果】
以上説明したように本発明によれば、海苔網を巻取りながら、タネ入れ作業を少人数で短時間で行うことができる。また海苔網のメンテナンス作業などの多用途に使用できる。またひも状体を海苔網と一緒に巻取ることにより、海洋での海苔網の展開を容易に行うことができる。また当接部材を備えることにより、長尺の海苔網であってその巻径が大きくなる場合も、スムーズに巻取ることができる。
【図面の簡単な説明】
【図１】海苔網の巻取り装置の側面図
【図２】海苔網の巻取り装置の要部斜視図
【図３】海苔網の巻取り手段の正面図
【図４】保持部と当接部材の斜視図
【図５】巻取り部の側面図
【図６】巻回体の配置部の側面図
【符号の説明】
１  海苔網
２  棒体
３  袋
５、６  巻回体
７、３０  配置部
１０  シャフト（案内部）
２０  巻取り手段
２１  モータ
２４  保持部
４１  ロープ（ひも状体）
４２、４３、４４  ロール
５０  当接部材
５１  装着部
５２  当接部
【図１】
0003650965.tif 000002
【図２】
0003650965.tif 000003
【図３】
0003650965.tif 000004
【図４】
0003650965.tif 000005
【図５】
0003650965.tif 000006
【図６】
0003650965.tif 000007